(57)【要約】【課題】正面に開口が形成されたオープンショーケースにおいて、その開口から商品陳列室内への虫の侵入を防止し、しかも、商品陳列室内の商品を冷却している場合には商品陳列室内の温度を低温に維持しつつ商品陳列室内への虫の侵入を防止できるようにする。【解決手段】前面に開口５が形成されて内部に商品陳列室４が形成された本体ケース３と、開口５の上部側に位置する冷気吹出口１０と開口５の下部側に位置する冷気吸込口１１とを有して冷却器８が駆動された場合に発生する冷気が流れる冷気ダクト７と、本体ケース３の上部に配置された虫除けファン１３と、虫除けファン１３が駆動されることにより送風される虫除け空気が開口５の正面側に吹出す虫除け空気吹出部１４とを有し、虫除け空気吹出部１４は、虫除け空気が水平方向向きに吹出す第１吹出位置と、虫除け空気が斜め下方向きに吹出す第２吹出位置とに切替可能に設けられている。【選択図】図１
2019181059.tif 000002
【特許請求の範囲】
【請求項１】
前面に開口が形成されて内部に商品陳列室が形成された本体ケースと、
前記本体ケースに形成され、前記開口の上部側に位置する冷気吹出口と前記開口の下部側に位置する冷気吸込口とを有して冷却器が駆動されることにより発生する冷気が流れる冷気ダクトと、
前記本体ケースの上部に配置された虫除けファンと、
前記虫除けファンが駆動されることにより送風される虫除け空気が前記開口の正面側に吹出す虫除け空気吹出部とを有し、
前記虫除け空気吹出部は、虫除け空気が水平方向向きに吹出す第１吹出位置と、虫除け空気が斜め下方向きに吹出す第２吹出位置とに切替可能に設けられていることを特徴とする虫除け機能付オープンショーケース。
【請求項２】
前記虫除け空気吹出部は、上下方向で対向して配置されその間に虫除け空気が流れる隙間を有する上部板と下部板とを有し、前記上部板と前記下部板との少なくとも一方が前後方向にスライド可能に設けられ、前記下部板の先端部が前記上部板の先端部より前方に位置することにより前記虫除け空気吹出部が前記第１吹出位置に切替えられ、前記下部板の先端部が前記上部板の先端部より後方に位置することにより前記虫除け空気吹出部が前記第２吹出位置に切替えられることを特徴とする請求項１記載の虫除け機能付オープンショーケース。
【発明の詳細な説明】
【技術分野】
【０００１】
本発明は、虫除け機能を備えたオープンショーケースに関する。
【背景技術】
【０００２】
従来、スーパーマーケットやコンビニエンスストア等の店舗では、前面に開口が形成されて内部に商品陳列室が形成されたオープンショーケースが用いられている。このようなオープンショーケースにおいては、商品陳列室内に冷却する必要がある商品（例えば、サラダ）を陳列し、その陳列した商品を冷却するために冷気を循環させる冷却機構を備えたものがある。なお、同じオープンショーケースの商品陳列室内に冷却する必要がない商品（例えば、温かい惣菜）を陳列する場合もあり、その場合には冷却機構の運転を停止させている。
【０００３】
また、このようなオープンショーケース、又は、開閉可能な扉を有するクローズドタイプのショーケースでは、商品陳列室内に虫が侵入することを防止するための送風用のファンを備えたものがあり、その一例として下記特許文献１に記載されたものが知られている。
【０００４】
この特許文献１に記載されたショーケースはクローズドタイプのものであり、扉を開放した場合にファンを逆回転させ、扉が開放された開口部分から陳列室内の空気を外部に排出し、この空気の排出によって扉の近くにいる虫が商品陳列室内に侵入することを防止している。
【先行技術文献】
【特許文献】
【０００５】
【特許文献１】特開２００８−２２０７４３号公報
【発明の概要】
【発明が解決しようとする課題】
【０００６】
しかしながら、特許文献１に記載されているショーケースはクローズドタイプのものであるため、オープンショーケースに適用することはできない。
【０００７】
また、扉開放時にファンを逆回転させて商品陳列室内の空気を外部に排出することにより虫の侵入を防止するため、扉を開放する度に商品陳列室内の空気が外部に排出され、商品陳列室内の温度が不安定になる。特に、商品陳列室内に冷却する商品が陳列されている場合には、その商品に対する冷却性能が損なわれる。
【０００８】
本発明は、このような課題を解決するためになされたものであり、その目的は、正面に開口が形成されたオープンショーケースにおいて、その開口から商品陳列室内への虫の侵入を防止することができ、しかも、商品陳列室内に冷却する必要がある商品が陳列されている場合には商品陳列室内の温度を低温に維持しつつ商品陳列室内への虫の侵入を防止することができる虫除け機能付きオープンショーケースを提供することである。
【課題を解決するための手段】
【０００９】
本発明に係る虫除け機能付きオープンショーケースは、前面に開口が形成されて内部に商品陳列室が形成された本体ケースと、前記本体ケースに形成され、前記開口の上部側に位置する冷気吹出口と前記開口の下部側に位置する冷気吸込口とを有して冷却器が駆動されることにより発生する冷気が流れる冷気ダクトと、前記本体ケースの上部に配置された虫除けファンと、前記虫除けファンが駆動されることにより送風される虫除け空気が前記開口の正面側に吹出す虫除け空気吹出部とを有し、前記虫除け空気吹出部は、虫除け空気が水平方向向きに吹出す第１吹出位置と、虫除け空気が斜め下方向きに吹出す第２吹出位置とに切替可能に設けられている。
【００１０】
また、前述の虫除け機能付きオープンショーケースにおいて、前記虫除け空気吹出部は、上下方向で対向して配置されその間に虫除け空気が流れる隙間を有する上部板と下部板とを有し、前記上部板と前記下部板との少なくとも一方が前後方向にスライド可能に設けられ、前記下部板の先端部が前記上部板の先端部より前方に位置することにより前記虫除け空気吹出部が前記第１吹出位置に切替えられ、前記下部板の先端部が前記上部板の先端部より後方に位置することにより前記虫除け空気吹出部が前記第２吹出位置に切替えられることが望ましい。
【発明の効果】
【００１１】
本発明に係る虫除け機能付きオープンショーケースによれば、商品陳列室内に冷却する必要がある商品が陳列されている場合には、冷却器が駆動され、発生した冷気が冷気ダクト内を流れて冷気吹出口から下向きに吹出し、吹出した冷気は冷気吸込口から吸い込まれて冷気ダクト内を再び流れる。このとき、冷気吹出口から吹き出した冷気がエアカーテンとなって開口を覆い、商品陳列室内が冷やされる。また、この冷気のエアカーテンが発生している場合に、虫除け空気吹出部を第１吹出位置に切替えることにより、虫除けファンが駆動されて発生した虫除け空気が虫除け空気吹出部から水平方向向きに吹出し、水平方向向きに吹出した虫除け空気は、下向きに流れる冷気のエアカーテンの影響で開口側に引き寄せられ、冷気のエアカーテンの正面側に沿って下向きに流れる。そして、この下向きに流れる虫除け空気により虫が開口から商品陳列室内に侵入することを防止でき、しかも、冷気のエアカーテンが乱されることを抑制してより一層良好に商品陳列室内を冷やすことができる。一方、商品陳列室内に冷却する必要がない商品が陳列されている場合には、冷却器の駆動を停止させ、虫除け空気吹出部を第２吹出位置に切替える。これにより、開口を覆う冷気のエアカーテンは生じないが、虫除け空気は開口の正面を覆うように下向きに流れるので、虫が開口から商品陳列室内に侵入することを防止できる。
【００１２】
また、虫除け空気吹出部の第１吹出位置と第２吹出位置とへの切替えは、上下方向で対向して配置されその間に虫除け空気が流れる隙間を有する上部板と下部板との少なくとも一方を前後方向にスライドさせることにより行えるので、この切替を新たな部品を用いることなく容易に行うことができる。
【図面の簡単な説明】
【００１３】
【図１】商品陳列室内に冷却する必要がある商品が陳列されている場合の虫除け機能付オープンショーケースを示す断面側面図である。
【図２】商品陳列室内に冷却する必要がない商品が陳列されている場合の虫除け機能付オープンショーケースを示す断面側面図である。
【発明を実施するための形態】
【００１４】
本発明の一実施形態について、図面に基づいて説明する。図１及び図２は、虫除け機能付オープンショーケース１の全体構造を示す縦断側面図であり、この虫除け機能付オープンショーケース１は、基台２と、基台２上に載置された本体ケース３とを有している。なお、図１は、本体ケース２の商品陳列室４内に冷却する必要がある商品（例えば、サラダ）が陳列されている場合を示し、図２は、商品陳列室４内に冷却する必要がない商品（例えば、温かい惣菜）が陳列されている場合を示している。
【００１５】
本体ケース３は、断面形状コの字型をした断熱部材により形成されており、この本体ケース３の前面に開口５が形成され、本体ケース３の内部に商品陳列室４が形成されている。商品陳列室４内には、複数段の商品陳列棚６が上下方向に配列されている。
【００１６】
本体ケース３には、内周に沿って略コの字型の冷気ダクト７が形成され、この冷気ダクト７内に冷却器８と送風ファン９とが設置されている。冷却器８が駆動されることにより冷気ダクト７内の空気が冷やされて冷気となり、送風ファン９が駆動されることによりその冷気が冷気ダクト７内を流れるようになっている。なお、冷却器８には、冷媒を圧縮する圧縮機、圧縮された冷媒を凝縮する凝縮器、凝縮された冷媒を断熱膨張させる膨張弁等が接続されており、これらの圧縮機、凝縮器、膨張弁等は基台２内に収容されている。
【００１７】
冷気ダクト７の一端には、開口５の上部側に位置して斜め下方向きに開口する冷気吹出口１０が形成されている。冷気ダクト７の他端には、開口５の下部側に位置して上向きに開口する冷気吸込口１１が形成されている。冷気ダクト７内を流れた冷気は、冷気吹出口１０から下向きに吹出して冷気吸込口１１から吸い込まれ、再び冷気ダクト７を流れるようになっている。そして、冷気吹出口１０から吹き出して冷気吸込口１１から吸い込まれる冷気により、図１において実線の矢印Ａで示すような冷気のエアカーテンが形成され、この冷気のエアカーテンによって開口５が覆われている。
【００１８】
本体ケース３の上部にはファンケース１２が取付けられ、ファンケース１２内には虫除けファン１３が収容されている。ファンケース１２には、虫除けファン１３が駆動された場合に送風される虫除け空気が開口４の正面側に吹出す虫除け空気吹出部１４が設けられている。この虫除け空気吹出部１４は、虫除け空気が水平方向向きに吹出す第１吹出位置と、虫除け空気が斜め下方向きに吹出す第２吹出位置とに切替可能とされている。
【００１９】
虫除け空気吹出部１４は、上下方向で対向する上部板１５と下部板１６とを有し、上部板１５と下部板１６との間に虫除け空気が流れる隙間１７が設けられている。下部板１６は前後方向スライド可能及び任意のスライド位置で位置固定に設けられており、下部板１６を前方にスライドさせて下部板１６の先端部を上部板１５の先端部より前方に位置させることにより虫除け空気吹出部１４が図１に示す第１吹出位置に切替えられる。また、下部板１６を後方にスライドさせて下部板１６の先端部を上部板１５の先端部より後方に位置させることにより虫除け空気切替部１４が図２に示す第２吹出位置に切替えられる。
【００２０】
ここで、虫除け空気吹出部１４を第１吹出位置に切替えて虫除けファン１３を駆動させ、さらに、冷却器８、送風ファン９を駆動させて冷気のエアカーテンを形成することにより、虫除け空気吹出部１４から水平方向向きに吹出した虫除け空気は、下向きに流れる冷気のエアカーテンの影響で開口４側に引き寄せられ、図１において破線の矢印Ｂで示すように冷気のエアカーテンの正面側に沿って下向きに流れる。一方、冷却器８、送風ファン９を駆動させず、虫除け空気吹出部１４を第２吹出位置に切替えて虫除けファン１３を駆動させることにより、図２において破線の矢印Ｃで示すように虫除け空気は開口４を覆って下向きに流れる。
【００２１】
本体ケース３の背面側上部には支持アーム１８が取付けられ、支持アーム１８の先端部には商品陳列室４内を照明するスポットライト１９が取付けられている。また、本体ケース３の背面側には、基台２内の圧縮機や凝縮器で発生した熱を放熱する排熱ダクト２０が設けられている。
【００２２】
このような構成において、この虫除け機能オープンショーケース１では、商品陳列室４内に冷却する必要がある商品を陳列する場合と、冷却する必要がない商品を陳列する場合とがある。そして、冷却する必要が或る商品を陳列する場合には、冷却器８と送風ファン９とを駆動させ、冷気のエアカーテンによって開口５を覆うようにしている。また、商品陳列室４内に陳列されている商品が冷却する必要がある商品と冷却する必要がない商品のいずれの場合でも、商品陳列室内に虫が侵入することを防止する必要がある。
【００２３】
図１は、商品陳列室４内に冷却する必要がある商品が陳列されている場合を示している。この場合には、冷却器８と送風ファン９が駆動されており、冷却器８により冷却された冷気が冷気ダクト７内を流れ、この冷気は冷気吹出口１０から吹き出して冷気吸込口１１に吸い込まれて冷気ダクト７内を巡回するとともに、実線の矢印Ａで示すように、開口５を覆う冷気のエアカーテンが形成されている。そして、冷気のエアカーテンが形成されることにより、商品陳列室４内が冷やされ、陳列されている商品が冷却される。
【００２４】
このとき、虫除け空気吹出部１４は第１吹出位置に切替えられており、虫除け空気吹出部１４から吹出す虫除け空気は水平方向向きに吹出し、冷気のエアカーテンを乱さないようになっている。そして、水平方向向きに吹出した虫除け空気は、下向きに流れる冷気のエアカーテンの影響で開口５側に引き寄せられ、破線の矢印Ｂで示すように、弧を描いて冷気のエアカーテンの正面側に沿って下向きに流れる。そして、この下向きに流れる虫除け空気により虫が開口５から商品陳列室４内に侵入することが防止される。しかも、この虫除け空気は、冷気のエアカーテンを覆うように流れるため、虫除け機能付オープンショーケース１の前を客が歩いた時などに生じる空気の乱れによって冷気のエアカーテンが乱されることを抑制することができ、より一層良好に商品陳列室４内を冷やすことができるようになっている。
【００２５】
図２は、商品陳列室４内に冷却する必要がない商品が陳列されている場合を示している。この場合は、冷却器８と送風ファン９の駆動が停止され、虫除け空気吹出部１４が第２吹出位置に切替えられている。虫除け空気吹出部１４が第２吹出位置に切替えられることにより、虫除け空気は破線の矢印Ｃで示すように、開口５の正面を覆うように下向きに流れ、虫が開口５から商品陳列室４内に侵入することが防止される。
【００２６】
ここで、この虫除け機構付オープンショーケース１では、商品陳列室４内に冷却を必要とする商品又は冷却を必要としない商品を陳列し、陳列する商品に応じて虫除け空気吹出部１４を第１吹出位置と第２吹出位置とに切替えている。そして、この切換えは、下部板１６を前後方向にスライドさせてスライドさせた任意の位置で固定することにより行えるので、この切替えを新たな部品を必要とすることなく、容易に行うことができる。
【００２７】
また、虫除け機構付オープンショーケース１を複数台並べて設置し、各虫除け機構付オープンショーケース１ごとに冷却を必要とする商品又は冷却を必要としない商品を陳列する場合がある。その場合において、各虫除け機構付オープンショーケース１の外観の違いは虫除け空気吹出部１４の切替位置だけであって極僅かであり、機能の異なる虫除け機構付オープンショーケース１を並べて設置しているにもかかわらず全体としての外観の統一性が維持され、見栄えを良くすることができる。
【符号の説明】
【００２８】
１    虫除機能付オープンショーケース
２    基台
３    本体ケース
４    商品陳列室
５    開口
６    商品陳列棚
７    冷気ダクト
８    冷却器
９    送風ファン
１０    冷気吹出口
１１    冷気吸込口
１２    ファンケース
１３    虫除けファン
１４    虫除け空気吹出部
１５    上部板
１６    下部板
１７    隙間
１８    支持アーム
１９    スポットライト
２０    排熱ダクト
【図１】
2019181059.tif 000003
【図２】
2019181059.tif 000004